(57)【要約】【課題】商品の盗難を監視する盗難防止装置において、何れの盗難防止装置からでも警報の停止を迅速に行えるようにすることを目的とする。【解決手段】各盗難防止装置３０に備えられている警報停止ボタン２２は、その押圧操作により各盗難防止装置３０にそれぞれ設けられた接地電圧点と接続可能とされており、回路上、各警報停止ボタン２２は接地電圧点を共有し、これと中継ケーブル３７間に並列接続された構成となっているので、各盗難防止装置３０に備えられている何れの警報停止ボタン２２をオン操作しても、発報した警報の停止を行うことができるようにするとともに、発報した盗難防止装置のみ無監視状態とし、他の盗難防止装置は盗難監視を継続させるようにする。【選択図】　　　　　図１
2004094415.tif 000002
【特許請求の範囲】
【請求項１】
タグを介して接続ケーブルにより商品を繋留させ、屋内用電源から電源端子を介して電源供給を受ける盗難防止装置を少なくとも２つ以上備えた繋留式の盗難防止装置において、前記盗難防止装置は、
警報を発報する警報手段と、
前記警報手段に対して、異常信号の入力により警報の発報を行わせ、リセット信号の入力により警報の停止を行わせる警報制御部と、
そのオン操作により前記電源端子を接地電圧点へ接続させることで前記リセット信号を生成させる警報停止ボタンとを備え、
警報発報後、この警報の停止を何れの盗難防止装置の警報停止ボタンをオン操作しても行うことができるようにするとともに、発報した盗難防止装置のみ無監視状態とし、他の盗難防止装置は盗難監視を継続させるようにすることを特徴とする盗難防止装置。
【請求項２】
タグを介して接続ケーブルにより商品を繋留させ、屋内用電源から電源端子を介して電源供給を受ける盗難防止装置を少なくとも２つ以上備えた繋留式の盗難防止装置において、前記盗難防止装置は、
警報を発報する警報手段と、
少なくとも異常検知部と発報部とリセット部を有し、前記警報手段に対して、当該異常検知部への異常信号の入力により警報の発報を行わせ、当該リセット部へのリセット信号の入力により警報の停止を行わせる警報制御部と、
前記電源端子及び前記警報制御部が共に接続される共通の接続点と、
前記共通の接続点と盗難防止装置に設けられた接地電圧点との間に設けられ、そのオン操作により前記電源端子を接地電圧点へ接地させる警報停止ボタンと、前記接地電圧点からの信号と、前記発報部からの信号とを受けて、前記リセット部へ前記リセット信号を出力する論理回路を備え、
前記各盗難防止装置における共通の接続点同士を中継ケーブルを介して接続することにより接地電圧点を共有させ、警報発報後、この警報の停止を何れの盗難防止装置の警報停止ボタンをオン操作しても行うことができるようにするとともに、発報した盗難防止装置のみ無監視状態とし、他の盗難防止装置は盗難監視を継続させるようにすることを特徴とする盗難防止装置。
【請求項３】
前記屋内用電源とこの電源からの電源供給を受ける前記電源端子間にバックアップ電源を接続し、当該屋内用電源が絶たれた場合においても、当該バックアップ電源から盗難防止装置の電源端子への電源供給を行えるようにすることを特徴とする請求項１または請求項２記載の盗難防止装置。
【請求項４】
前記警報停止ボタンに対し、警報停止に至る所定の押圧時間とこの所定の押圧時間を必要とする期間を任意に設定可能とし、警報発報後の当該期間の間は、警報停止ボタンを所定時間押し続けた時のみ警報停止を行えるようにするとともに、警報発報後の当該期間の経過後は、警報停止ボタンを瞬時押しすることにより警報停止を行えるようにすることを特徴とする請求項１から請求項３何れか一つ記載の盗難防止装置。
【発明の詳細な説明】
【０００１】
【発明の属する技術分野】
本発明は商品の盗難を監視する盗難防止システムに関し、特に、各盗難防止装置毎に警報停止ボタンを設け、発報した盗難防止装置の警報停止を何れの盗難防止装置からでも迅速に行うことができる盗難防止装置に関する。
【０００２】
【従来の技術】
従来の繋留式盗難防止装置の盗難防止システムを図５を参照して説明する。従来の盗難防止システムは、警報を停止させるためのキースイッチ５３を有している親機５１と、この親機５１により制御される子機群５２、５２、・・・とで成り立っており、子機群５２、５２、・・・を制御する親機５１は店員のいるレジ付近に設置され、子機群５２、５２、・・・は商品棚の後方など人目につかない所に設置される。
【０００３】
親機５１は屋内用電源から電源供給を受け、警報発報用電源は親機から中継ケーブル５４を介して子機群５２、５２、・・・に供給される。商品５７は、商品５７に取り付けるタグと子機５２のジャックに挿入するプラグ間を接続する接続ケーブル５６によって、各子機５２に繋留されており、一台の子機５２に複数の商品５７が繋留されて監視状態におかれている。
【０００４】
盗難によって警報が発報した際、その警報を停止させるために、店員が親機５１のキースイッチ５３にて警報停止の操作を行うと、末端子機の警報停止回路５５に接地電圧点が設けられていることから、親機のキースイッチ５３のオン操作により何れの子機の警報停止も行なえる構成となっている。しかしながら、このような警報停止操作によれば、警報を発報した子機５２の警報は停止することができるが、その子機を含む全ての子機の盗難監視状態も停止されてしまうことから、再度盗難監視状態に復帰させるまでの間、全ての商品５７が無防備になってしまうという問題や、警報の停止は親機５１側のキースイッチ５３でしか行うことができないことから、店員が親機５１の設置されている場所から離れているときなどは、警報の停止を行うためにその場所まで戻らなければならないという煩わしさがあった。
【０００５】
加えて、従来の盗難防止システムによれば、親機５１から全ての子機５２に警報発報用電源を供給しているため、親機５１への屋内用電源からの電源供給が絶たれた場合（例えば、故意に電源を抜かれた場合）や、全ての子機への発報用電源の供給が絶たれた場合（例えば、中継ケーブルが切断された場合）は、無監視状態となるので、全ての商品が無防備になり同様の事態を招くことになる。
【０００６】
また、警報を発報した子機５２の警報停止手段として、キースイッチの停止操作を行うためにキーが用いられるが、警報発報時に停止操作を行う以外、キーを使用することがないので、管理を怠ると紛失する恐れを生じるという問題があった。
【０００７】
【発明が解決しようとする課題】
本発明の繋留式の盗難防止装置は、上記問題点に鑑み、各盗難防止装置毎に、警報停止ボタンとこのオン操作により接続される接地電圧点を備えさせ、これら接地電圧点を共有化することにより何れの盗難防止装置の警報停止ボタンをオン操作しても、発報した盗難防止装置の警報停止を迅速に行えるようにするとともに、発報した盗難防止装置のみ無監視状態とし、他の盗難防止装置は盗難監視を継続させ、警報停止によって無監視状態となる盗難防止装置を最小限にすることを目的とする。
【０００８】
また、各盗難防止装置毎にバックアップ電源を備えさせることにより、発報用電源の供給が絶たれるような非常時においても、盗難防止装置の盗難監視状態を維持できるようにすることを目的とする。
【０００９】
また、従来はメカキーやリモコンキーなどキー操作によって行われていた警報停止手段を挿脱不要のボタン操作にし、各盗難防止装置毎に警報停止ボタンを備えさせることでキーの紛失や管理などの問題を解決し、加えて警報停止に至る押圧時間と押圧時間を必要とする期間を任意に設定可能とすることで、店員以外による警報停止のボタン操作を困難にし、盗人を混乱させることで商品の盗難を防ぐことを目的とする。
【００１０】
【課題を解決するための手段】
前記課題を解決するために、本発明の請求項１記載の盗難防止装置は、タグを介して接続ケーブルにより商品を繋留させ、屋内用電源から電源端子を介して電源供給を受ける盗難防止装置を少なくとも２つ以上備えた繋留式の盗難防止装置において、前記盗難防止装置は、警報を発報する警報手段と、前記警報手段に対して、異常信号の入力により警報の発報を行わせ、リセット信号の入力により警報の停止を行わせる警報制御部と、そのオン操作により前記電源端子を接地電圧点へ接続させることで前記リセット信号を生成させる警報停止ボタンとを備え、警報発報後、この警報の停止を何れの盗難防止装置の警報停止ボタンをオン操作しても行うことができるようにするとともに、発報した盗難防止装置のみ無監視状態とし、他の盗難防止装置は盗難監視を継続させるようにする。
【００１１】
また、本発明の請求項２記載の盗難防止装置は、タグを介して接続ケーブルにより商品を繋留させ、屋内用電源から電源端子を介して電源供給を受ける盗難防止装置を少なくとも２つ以上備えた繋留式の盗難防止装置において、前記盗難防止装置は、警報を発報する警報手段と、少なくとも異常検知部と発報部とリセット部を有し、前記警報手段に対して、当該異常検知部への異常信号の入力により警報の発報を行なわせ、当該リセット部へのリセット信号の入力により警報の停止を行なわせる警報制御部と、前記電源端子及び前記警報制御部が共に接続される共通の接続点と、前記共通の接続点と盗難防止装置に設けられた接地電圧点との間に設けられ、そのオン操作により前記電源端子を接地電圧点へ接地させる警報停止ボタンと、前記接地電圧点からの信号と、前記発報部からの信号とを受けて、前記リセット部へ前記リセット信号を出力する論理回路を備え、前記各盗難防止装置における共通の接続点同士を中継ケーブルを介して接続することにより接地電圧点を共有させ、警報発報後、この警報の停止を何れの盗難防止装置の警報停止ボタンをオン操作しても行うことができるようにするとともに、発報した盗難防止装置のみ無監視状態とし、他の盗難防止装置は盗難監視を継続させるようにする。
【００１２】
また、本発明の請求項３記載の盗難防止装置は、前記屋内用電源とこの電源からの電源供給を受ける前記電源端子間にバックアップ電源を接続し、当該屋内用電源が絶たれた場合においても、当該バックアップ電源から盗難防止装置の電源端子への電源供給を行えるようにする。
【００１３】
また、本発明の請求項４記載の盗難防止装置は、前記警報停止ボタンに対し、警報停止に至る所定の押圧時間とこの所定の押圧時間を必要とする期間を任意に設定可能とし、警報発報後の当該期間の間は、警報停止ボタンを所定時間押し続けた時のみ警報停止を行えるようにするとともに、警報発報後の当該期間の経過後は、警報停止ボタンを瞬時押しすることにより警報停止を行えるようにする。
【００１４】
【発明の実施の形態】
以下、本発明の盗難防止装置の実施の形態を図面に基づいて説明する。図１は本発明の実施の形態１における盗難防止装置の全体構成図、図２は本発明の実施の形態２における盗難防止装置の全体構成図、図３は本発明の盗難防止装置のバックアップ電源回路部の構成図、図４は本発明の盗難防止装置の全体のブロック構成図である。
【００１５】
図１に示すように、実施の形態１の盗難防止装置３０は、センサープラグ４を挿入するためのセンサージャック５と、電源端子２４やセンサージャック５の可動接点６の電圧値をオープンコレクタ出力のコンパレータで形成されたウィンドウコンパレータ１４（以下、ウィンドウコンパレータ１４という）に入力し、そこに設定されているアッパーリミット（ＵＬ）１２とローワーリミット（ＬＬ）１３と比較して異常の有無を判別する回路を備えた第１のセンサージャック部の回路２８、２８、・・・と、発報した警報を停止するための警報停止ボタン２２と、異常検知部、発報部、リセット部を備えた警報制御部２１と、一方の入力部にロー信号をハイ信号に反転させるインバータを備えた論理回路２３などを備えている。
【００１６】
警報制御部２１は、異常検知部にロー信号（異常信号）が入力された場合、警報を発報させるとともに、発報部より論理回路２３へハイ信号を出力し、論理回路２３からリセット部へハイ信号（リセット信号）が入力された場合、その信号を受けて警報の停止を行い、その状態を保持する構成となっている。
【００１７】
ウィンドウコンパレータ１４は、可動接点６とプラグ受け８の接続状態によって変化し可動接点６を介して入力される電圧を入力電圧ＶＩＮとし、その入力電圧ＶＩＮはアッパーリミット（ＵＬ）１２とローワーリミット（ＬＬ）１３の電圧値と比較されて、入力電圧ＶＩＮがＬＬ＜ＶＩＮ＜ＵＬの電圧値となれば、盗難監視状態は正常とみなされ、ウィンドウコンパレータ１４はハイ信号を出力し、入力電圧ＶＩＮがＬＬ＞ＶＩＮあるいはＶＩＮ＞ＵＬの電圧値となれば、盗難監視状態は異常とみなされ、ウィンドウコンパレータ１４はロー信号を出力する構成となっている。なお、図４における盗難防止装置３０は、中継ケーブル３７を介して他の盗難防止装置３０と接続することにより、増設可能となっている。
【００１８】
以下に、実施の形態１における盗難防止装置３０の動作説明を行う。先ず、盗難防止装置３０の盗難監視のスタートに際して、商品３８を繋留しているセンサープラグ４をセンサージャック５に挿入し、センサープラグ４を挿入しないセンサージャック５には、タグ内部の抵抗体と同じ抵抗値を有する抵抗をセンサープラグ内部に備え、商品を繋留しないセンサージャックにセンサープラグの代わりに挿入して使用するダミープラグを全てに挿入しておく。そして、この盗難防止装置３０が盗難監視状態にあるとき、　ウィンドウコンパレータ１４への入力電圧ＶＩＮは、抵抗体１（ＲＳ）とプルアップ抵抗９（Ｒ１）と電源端子２４の電源電圧ＶＣＣよりＶＩＮ　＝（ＲＳ／（Ｒ１＋ＲＳ　））ＶＣＣで表される　。この入力電圧ＶＩＮはウィンドウコンパレータ１４により判別され、ＬＬ＜ＶＩＮ＜ＵＬの電圧値となれば、上述したように盗難監視状態は正常とみなされ、ウィンドウコンパレータ１４はハイ信号を出力する。この時、Ａ点の電位はＢ点の電位より高いので、電源端子２７のハイ信号はＢ点を介して、警報制御部２１の異常検知部へ入力されるため、警報は発報されない。
【００１９】
センサージャック５に挿入されているセンサープラグ４とタグ２を接続する接続ケーブル３がショートされた場合、電源端子２４が可動接点６を介して直接接地されるため、ウィンドウコンパレータ１４の入力電圧ＶＩＮはＶＩＮ＝０Ｖで表され、ＶＩＮ＜ＬＬの電圧値となる。また、センサープラグ４が抜かれた場合や、盗難防止装置３０に商品３８を繋留している接続ケーブル３が切断された場合、ＲＳ＝∞となって電源端子２４が接地されなくなり、ウィンドウコンパレータ１４に電源端子２４の電圧が入力し、ウィンドウコンパレータ１４の入力電圧ＶＩＮはＶＩＮ＝（∞／（Ｒ１＋∞））ＶＣＣ≒ＶＣＣで表され、ＶＩＮ＞ＵＬの電圧値となる。
【００２０】
このように、ウィンドウコンパレータ１４で入力電圧ＶＩＮがＶＩＮ＜ＬＬあるいはＶＩＮ＞ＵＬの電圧値となれば　、上述したように盗難監視状態は異常とみなされ、ウィンドウコンパレータ１４はロー信号を出力する。この時、Ａ点の電位はＢ点の電位より低くなるため、電源端子２６から発光ダイオード１６を介して電流が流れ、異常を教示する発光ダイオード１６が点灯する。電源端子２７のハイ信号はＢ点からＡ点へ流れるので、警報制御部２１の異常検知部にはロー信号が入力され、警報が発報される。そして、論理回路２３の一方には、発報部から出力されたハイ信号が入力され、他方には、店員が警報停止ボタン２２をオンすることで、電源端子３２からハイ信号が警報停止ボタン２２を介して接地電圧点へ接地されるため、ロー信号が入力されるが、このロー信号はインバータで反転され、ハイ信号となって入力される。従って、論理回路２３にはともにハイ信号が入力されるので、論理回路２３はハイ信号を出力し、このハイ信号が警報制御部２１のリセット部に入力されて警報が停止される。
【００２１】
警報停止後、盗難を受けた盗難防止装置３０を盗難監視状態に復帰させる際には、盗難を受けた盗難防止装置３０のセンサージャック５にセンサープラグ４かあるいはダミープラグを挿入する必要があるが、この際に異常を教示するために点灯していた発光ダイオード１６が消灯するので、店員は盗難を受けた盗難防止装置３０が盗難監視状態に復帰したことを把握することができる。
【００２２】
上述する警報停止ボタン２２は、その押圧操作により各盗難防止装置３０にそれぞれ設けられた接地電圧点と接続可能とされており、回路上、各警報停止ボタン２２は接地電圧点を共有し、これと中継ケーブル３７間に並列接続された構成となっているので、各盗難防止装置３０に備えられている何れの警報停止ボタン２２をオン操作しても、発報した警報の停止を行うことができる。なお、この場合、発報した盗難防止装置は、その発報が停止されて無監視状態となるが、他の盗難防止装置による盗難監視は継続される。
【００２３】
図２に示すように、実施の形態２の盗難防止装置３０は、センサープラグ４を入力するためのセンサージャック５と、電源端子２４やセンサージャック５の可動接点６の電圧値をオープンコレクタ出力のコンパレータで形成されたウィンドウコンパレータ１４（以下、ウィンドウコンパレータ１４という）に入力し、そこに設定されているアッパーリミット（ＵＬ）１２とローワーリミット（ＬＬ）１３と比較して異常の有無を判別する回路を備えた第１のセンサージャック部の回路２８と、可動接点６が抵抗（Ｒ２）１０とコンデンサ１１からなる並列回路を介し接地されている第２のセンサージャック部の回路２９、２９、・・・と、発報した警報を停止するための警報停止ボタン２２と、異常を教示するために点灯している発光ダイオード１６を消灯するための消灯ボタン３９と、異常状態を記憶するフリップフロップ１８と、異常検知部、発報部、リセット部、メモリーリセット部、消灯部を備えた警報制御部２１と、一方の入力部にロー信号をハイ信号に反転させるインバータを備えた論理回路２３などを備えている。
【００２４】
警報制御部２１は、異常検知部にロー信号が入力された場合、警報を発報させるとともに、発報部より論理回路２３へハイ信号を出力する。そして、リセット部へハイ信号が入力されると警報を停止し、消灯部へロー信号が入力されるとメモリーリセット部からフリップフロップ１８のリセット（Ｒ）へロー信号が出力される構成となっている。加えて、この警報制御部２１には、警報の停止及び発光ダイオード１６の消灯の制御を行うためのマイコンが備えられており、盗難防止装置３０が警報を発報した際、警報停止ボタン２２をオンすると、盗難を受けた盗難防止装置３０のマイコンは発報モードから警報停止モードに切り替わり、警報の停止のみが行われ、発光ダイオード１６の点灯は継続される。これは、警報の停止を行った店員に対して、盗難を受けた盗難防止装置３０を教示するためであり、店員は盗難を受けた盗難防止装置３０に繋留されている商品３８の状況を確認した後、消灯ボタン３９の押圧操作により、点灯している発光ダイオード１６を消灯することができる構成となっている。
【００２５】
ウィンドウコンパレータ１４は、可動接点６とプラグ受け８の接続状態によって変化し可動接点６を介して入力される電圧を入力電圧ＶＩＮとし、その入力電圧ＶＩＮはアッパーリミット（ＵＬ）１２とローワーリミット（ＬＬ）１３の電圧値と比較されて、入力電圧ＶＩＮがＬＬ＜ＶＩＮ＜ＵＬの電圧値となれば、盗難監視状態は正常とみなされ、ウィンドウコンパレータ１４はハイ信号を出力し、入力電圧ＶＩＮがＶＩＮ＜ＬＬあるいはＶＩＮ＞ＵＬの電圧値となれば、盗難監視状態は異常とみなされ、ウィンドウコンパレータ１４はロー信号を出力する構成となっている。
【００２６】
また、第１のセンサージャック部の回路２８は、第２のセンサージャック部の回路２９、２９、・・・と異なり、抵抗１０とコンデンサ１１を備えていない。これは、第１のセンサージャック部が盗難防止装置３０の盗難監視を始動するためのスイッチ機能を有しているためであり、第１のセンサージャック部の回路２８のセンサージャック５にセンサープラグ４が挿入された後、盗難防止装置３０に係留されている商品の盗難監視がスタートする構成となっているため、必ず第１のセンサージャック部の回路２８のセンサージャック５にセンサープラグ４を挿入する必要があり、第１のセンサージャック部の回路２８のセンサージャック５に挿入されたセンサープラグ４が抜かれない限り、盗難防止装置３０は盗難監視状態を維持することができる。なお、図４における盗難防止装置３０は、中継ケーブル３７を介して他の盗難防止装置３０と接続することにより、増設可能となっている。
【００２７】
以下に、実施の形態２における盗難防止装置３０の動作説明を行う。先ず、盗難防止装置３０の盗難監視のスタートに際して、第１のセンサージャック部の回路２８のセンサージャック５にセンサープラグ４を挿入する。そして、この盗難防止装置３０が盗難監視状態にあるとき、ウィンドウコンパレータ１４への入力電圧ＶＩＮは、抵抗体（ＲＳ）１とプルアップ抵抗（Ｒ１）９と電源端子２４の電源電圧ＶＣＣよりＶＩＮ＝（ＲＳ／（Ｒ１＋ＲＳ））ＶＣＣで表される。この入力電圧ＶＩＮはウィンドウコンパレータ１４により判別され、ＬＬ＜ＶＩＮ＜ＵＬの電圧値となれば、上述したように盗難監視状態は正常とみなされ、ウィンドウコンパレータ１４はハイ信号を出力する。その結果、Ａ点の電位はハイレベルとなり、フリップフロップ１８のセット（Ｓ）にはインバータで反転されたロー信号が入力される。この時、Ｂ点の電位はＡ点の電位より低いので、電源端子２７のハイ信号はＢ点を介して、警報制御部２１の異常検知部へ入力されるため、警報は発報されない。
【００２８】
第１のセンサージャック部の回路２８のセンサージャック５において、センサープラグ４が抜かれた場合や、盗難防止装置３０に商品３８を繋留している接続ケーブル３が切断された場合、ＲＳ＝∞となって電源端子２４が接地されなくなり、ウィンドウコンパレータ１４には電源端子２４の電圧が入力し、ウィンドウコンパレータ１４への入力電圧ＶＩＮはＶＩＮ＝（∞／（Ｒ１＋∞））ＶＣＣ≒ＶＣＣで表され、ＶＩＮ＞ＵＬの電圧値となる。また、センサージャック５に挿入されているセンサープラグ４とタグ２を接続する接続ケーブル３がショートされた場合、電源端子２４が可動接点６を介して直接接地されるため、ウィンドウコンパレータ１４の入力電圧ＶＩＮはＶＩＮ＝０Ｖで表され、ＶＩＮ＜ＬＬの電圧値となる。
【００２９】
第２のセンサージャック部の回路２９、２９、・・・のセンサージャック５において、盗難防止装置３０に商品３８を繋留している接続ケーブル３が切断された場合、ＲＳ＝∞となって電源端子２４が接地されなくなり、ウィンドウコンパレータ１４には電源端子２４の電圧が入力し、ウィンドウコンパレータ１４の入力電圧ＶＩＮはＶＩＮ＝（∞／（Ｒ１＋∞））ＶＣＣ≒ＶＣＣで表され、ＶＩＮ＞ＵＬの電圧値となる。また、センサープラグ４が抜かれた場合、可動接点６と固定接点７が接触し、電源端子２４は初期電圧０Ｖからコンデンサ１１の充電を開始する。従って、ウィンドウコンパレータ１４への初期の入力電圧ＶＩＮは０Ｖであることから、ウィンドウコンパレータ１４の入力電圧ＶＩＮはＬＬ＞ＶＩＮの電圧値となる。加えて、センサージャック５に挿入されているセンサープラグ４とタグ２を接続する接続ケーブル３がショートされた場合、電源端子２４が可動接点６を介して直接接地されるため、ウィンドウコンパレータ１４の入力電圧ＶＩＮはＶＩＮ＝０Ｖで表され、ＶＩＮ＜ＬＬの電圧値となる。
【００３０】
このように、ウィンドウコンパレータ１４で入力電圧ＶＩＮがＶＩＮ＜ＬＬあるいはＶＩＮ＞ＵＬの電圧値となれば、上述したように盗難監視状態は異常とみなされ、ウィンドウコンパレータ１４はロー信号を出力する。その結果、Ａ点の電位はローレベルとなり、フリップフロップ１８のセット（Ｓ）にはインバータで反転されたハイ信号が入力され、異常状態を記憶し、オーバー・バーＱの電位がローレベルとなって発光ダイオード１６が点灯する。この時、Ａ点の電位はＢ点の電位より低くなるので、電源端子２７のハイ信号はＢ点及びダイオード１９を介してＡ点へ流れ、警報制御部２１の異常検知部にはロー信号が入力され、警報が発報される。そして、論理回路２３の一方には、発報部から出力されたハイ信号が入力され、他方には、店員が警報停止ボタン２２をオンすることで、電源端子３２からハイ信号が警報停止ボタン２２を介して接地電圧点へ接地されるため、ロー信号がインバータで反転され、ハイ信号となって入力される。従って、論理回路２３にはともにハイ信号が入力されるので、論理回路２３はハイ信号を出力し、警報制御部２１のリセット部に入力され、警報が停止される。上述したように、店員が消灯ボタン３９をオンすることにより、警報制御部２１のメモリーリセット部からロー信号を出力し、フリップフロップ１８のリセット（Ｒ）にはインバータによりハイ信号が入力され、異常状態を記憶していたフリップフロップ１８のリセット（初期化）を行う。そして、この信号がリセット（Ｒ）へ入力されることにより、オーバー・バーＱの電位がハイレベルとなり、異常を教示するために点灯していた発光ダイオード１６が消灯することにより、店員は盗難防止装置３０の異常状態の記憶がリセット（初期化）されたことを把握することができる。
【００３１】
上述する警報停止ボタン２２は、実施の形態１で説明したものと同様、その押圧操作により各盗難防止装置３０にそれぞれ設けられた接地電圧点と接続可能とされており、回路上、各警報停止ボタン２２は接地電圧点を共有し、これと中継ケーブル３７間に並列接続された構成となっているので、各盗難防止装置３０に備えられている何れの警報停止ボタン２２をオン操作しても、発報した警報の停止を行うことができる。なお、この場合、発報した盗難防止装置は、その発報が停止されて無監視状態となるが、他の盗難防止装置による盗難監視は継続される。
【００３２】
次に、図３に示すバックアップ電源部について説明する。この電源は各盗難防止装置に備えられており、屋内用電源３３から電源供給を受けている場合、盗難防止装置内の各電源端子へは屋内用電源３３よりＡＣ−ＤＣ変換機（図示せず）と第１のダイオード３５を介して直流電圧を供給する。この時、バックアップ電源３４の電圧は、屋内用電源３３からの電圧より低いのでバックアップ電源３４から各電源端子へは直流電圧を供給しない。しかし、屋内用電源３３からの電源供給が絶たれた場合、屋内用電源３３からの電圧は０Ｖとなりバックアップ電源３４の電圧は、屋内用電源３３より高くなるため、屋内用電源３３に代わり第２のダイオード３６を介して盗難防止装置３０の各電源端子へ直流電圧の供給を行う。
【００３３】
また、従来はメカキーやリモコンキーなどキー操作によって警報発報の停止を行っており、図６に示すように、キー方式では盗人がキーを盗むなどしてキーを得た場合、容易に警報の停止を行うことができた。しかし、本実施の形態１及び２における盗難防止装置３０では、キーレス方式である警報停止ボタン２２に対して、盗人が容易に警報の停止を行えないよう警報停止ボタン２２の押圧時間を設定可能とし、さらにこの設定された押圧時間を必要とする期間も設定可能とするようにしている。図７（ａ）は設定された押圧時間を必要とする期間での警報停止の動作説明図、図７（ｂ）は設定された押圧時間を必要としない期間での警報停止の動作説明図である。図７（ａ）に示すように、店員が設定された押圧時間を必要とする期間に警報停止ボタン２２により警報停止を行う場合、設定された押圧時間の間警報停止ボタン２２を長押しすると、警報の停止を行うことができ、また、図７（ｂ）に示すように、設定された押圧時間を必要としない期間に警報停止ボタン２２により警報停止を行う場合、警報停止ボタン２２を瞬時押しすると警報の停止を行うことができる。具体例として、押圧時間を５秒、設定された押圧時間を必要とする期間を５０秒に設定すると、店員が設定された押圧時間を必要とする期間（５０秒）に警報停止ボタン２２により警報停止を行う場合、警報停止ボタン２２を５秒以上長押しすると、警報の停止を行うことができる。このように、盗人が容易に警報の停止を行えないよう、警報停止ボタン２２の押圧時間を設定可能とし、さらにこの設定された押圧時間を必要とする期間も設定可能とすることで、店員以外による警報の停止操作を困難にし、盗人を混乱させることができる。なお、設定時間の変更は、タイマやカウンタなどの様々な方法を用いて自由に行えるようにすることもできる。
【００３４】
【発明の効果】
以上のように、本発明の盗難防止装置によれば、各盗難防止装置毎に、警報停止ボタンとこのオン操作により接続される接地電圧点を備えさせ、これら接地電圧点を共有化することにより何れの盗難防止装置の警報停止ボタンをオン操作しても、発報した盗難防止装置の警報停止を迅速に行えるようにするとともに、発報した盗難防止装置のみ無監視状態とし、他の盗難防止装置は盗難監視を継続させるので、警報停止によって無監視状態となる盗難防止装置を最小限にすることができる。
【００３５】
また、本発明の盗難防止装置は、前記各盗難防止装置における共通の接続点を中継ケーブルを介して接続することにより連設することができるようにしたので、広い販売スペースにも十分に対応させることができる。
【００３６】
また、本発明の盗難防止装置によれば、各盗難防止装置毎にバックアップ電源を備えさせているので、屋内用電源の供給が絶たれるような非常時においても、盗難防止装置の盗難監視状態を維持することができる。
【００３７】
また、本発明の盗難防止装置によれば、従来はメカキーやリモコンキーなどキー操作によって行われていた警報停止手段を挿脱不要のボタン操作にし、各盗難防止装置毎に警報停止ボタンを備えさせることでキーの紛失や管理などの問題を解決し、加えて警報停止に至る所定の押圧時間とこの所定の押圧時間を必要とする期間を任意に設定可能としているので、店員以外による警報停止のボタン操作を困難にし、盗人を混乱させることで商品の盗難を防ぐことができる。
【図面の簡単な説明】
【図１】本発明の実施の形態１における盗難防止装置の全体構成図である。
【図２】本発明の実施の形態２における盗難防止装置の全体構成図である。
【図３】本発明の盗難防止装置のバックアップ電源回路部の構成図である。
【図４】本発明の盗難防止装置の全体のブロック構成図である。
【図５】従来の盗難防止システムのブロック構成図である。
【図６】従来のキー方式による警報停止の動作説明図である。
【図７】（ａ）設定された押圧時間を必要とする期間での警報停止の動作説明図である。
（ｂ）設定された押圧時間を必要としない期間での警報停止の動作説明図である。
【符号の説明】
１　抵抗体（ＲＳ）
２　タグ
３、５６　接続ケーブル
４　センサープラグ
５　センサージャック
６　可動接点
７　固定接点
８　プラグ受け
９　プルアップ抵抗（Ｒ１）
１５、１７、２０、３１　給電抵抗
１０　抵抗（Ｒ２）
１１　コンデンサ
１２　アッパーリミット（ＵＬ）
１３　ローワーリミット（ＬＬ）
１４　オープンコレクタ出力のウィンドウコンパレータ
１６　発光ダイオード
１８　フリップフロップ
１９　ダイオード
２１　警報制御部
２２　警報停止ボタン
２３　　論理回路
２４、２５，２６，２７、３２　電源端子
２８　第１のセンサージャック部の回路
２９　第２のセンサージャック部の回路
３０　盗難防止装置
３３　屋内用電源
３４　バックアップ電源
３５　第１のダイオード
３６　第２のダイオード
３７、５４　中継ケーブル
３８、５７　商品
３９　消灯ボタン
５１　親機
５２　子機
５３　キースイッチ
５５　警報停止回路
【図１】
2004094415.tif 000003
【図２】
2004094415.tif 000004
【図３】
2004094415.tif 000005
【図４】
2004094415.tif 000006
【図５】
2004094415.tif 000007
【図６】
2004094415.tif 000008
【図７】
2004094415.tif 000009